(57)【要約】【課題】固形燃料を燃焼室で燃焼させるために必要な空気を確保可能な燃焼器具を提供することを目的とする。【解決手段】植物由来の固形燃料２を収容する中空筒状の固形燃料収納体６と、当該固形燃料収納体６の一側に設けられた外気吸入口１と、固形燃料収納体６の他側と連通した燃焼室３ａ、３ｂと、当該燃焼室３ａ、３ｂと連通した排気装置５とを有する燃焼器具に固形燃料２を収容し、固形燃料収納体６内に出し入れ自在に収容可能な通気性を有する有底筒状の容器７を備え、容器７に、容器７の上部開口部２２から底部１９まで連通して設けられ、外気吸入口１と燃焼室３ａ、３ｂとを連通する中空筒状の通気管２３を備えたことにより、外気吸入口１から取り込まれた空気は固形燃料２を通過しなくてもよいので、固形燃料２を燃焼室３ａ、３ｂで燃焼させるために必要な空気を確保することができる。【選択図】図１
0003151003.tif 000002
【実用新案登録請求の範囲】
【請求項１】
植物由来の固形燃料を収容する中空筒状の固形燃料収納体と、当該固形燃料収納体の一側に設けられた外気吸入口と、前記固形燃料収納体の他側と連通した燃焼室と、当該燃焼室と連通した排気装置とを有する燃焼器具において、
前記固形燃料を収容し、前記固形燃料収納体内に出し入れ自在に収容可能な通気性を有する有底筒状の容器を備え、前記容器に、前記容器の上部開口部から底部まで連通して設けられ、前記外気吸入口と前記燃焼室とを連通する中空筒状の通気管を備えたことを特徴とする燃焼器具。
【請求項２】
前記容器の外周面と前記固形燃料収納体の内周面との間に前記外気吸入口と前記燃焼室とを連通する隙間を形成したことを特徴とする請求項１記載の燃焼器具。
【請求項３】
前記通気管の中心軸線を、前記固形燃料収納体の中心軸線と一致して設けたことを特徴とする請求項１又は２に記載の燃焼器具。
【請求項４】
前記通気管の前記上部開口部側の通気口に、異物侵入防止部材を備えたことを特徴とする請求項１〜３のいずれか１項に記載の燃焼器具。
【考案の詳細な説明】
【技術分野】
【０００１】
本考案は、植物由来の固形燃料を使用する燃焼器具に関するものである。
【背景技術】
【０００２】
従来、植物由来の固形燃料を収容する中空筒状の固形燃料収納体と、当該固形燃料収納体の一側に設けられた外気吸入口と、前記固形燃料収納体の他側と連通した燃焼室と、当該燃焼室と連通した排気装置とを有する燃焼器具があり、固形燃料収納体内に収容された固形燃料は、下部の燃焼室から着火され、燃焼を始める。燃焼が進むと排気装置の排気力が高まり、固形燃料から発生した気体が燃焼室で炎となり、排気装置により排気されるが、排気装置は、固形燃料収納体の下部の燃焼室に連通しているので、排気は、固形燃料収納体内を通過することなく排気される（特許文献１）。
【先行技術文献】
【特許文献】
【０００３】
【特許文献１】特開２００９−１９８４６号公報
【考案の開示】
【考案が解決しようとする課題】
【０００４】
しかし、従来の燃焼器具では、固形燃料を、固形燃料収納体に取り外し自在に収容可能な有底筒状の容器に収容して、固形燃料収納体に収納する場合に、外気吸入口から取り込まれた空気は容器内の固形燃料の隙間や固形燃料収納体の内周面と容器の外周面の隙間を通過して燃焼室へ送られることとなっているが、容器内の固形燃料の隙間が確保できない状態では、固形燃料を燃焼室で燃焼させるために必要な空気を十分に確保できない虞がある、という問題点があった。
【０００５】
本考案は上記問題点を解決するものであり、固形燃料を燃焼室で燃焼させるために必要な空気を確保可能な燃焼器具を提供することを目的とする。
【課題を解決するための手段】
【０００６】
請求項１の考案は、植物由来の固形燃料を収容する中空筒状の固形燃料収納体と、当該固形燃料収納体の一側に設けられた外気吸入口と、前記固形燃料収納体の他側と連通した燃焼室と、当該燃焼室と連通した排気装置とを有する燃焼器具において、前記固形燃料を収容し、前記固形燃料収納体内に出し入れ自在に収容可能な通気性を有する有底筒状の容器を備え、前記容器に、前記容器の上部開口部から底部まで連通して設けられ、前記外気吸入口と前記燃焼室とを連通する中空筒状の通気管を備えたことを特徴とする。
【０００７】
請求項２の考案は、前記容器の外周面と前記固形燃料収納体の内周面との間に前記外気吸入口と前記燃焼室とを連通する隙間を形成したことを特徴とする。
【０００８】
請求項３の考案は、前記通気管の中心軸線を、前記固形燃料収納体の中心軸線と一致して設けたことを特徴とする。
【０００９】
請求項４の考案は、前記通気管の前記上部開口部側の通気口に、異物侵入防止部材を備えたことを特徴とする。
【考案の効果】
【００１０】
請求項１の考案によれば、容器に外気吸入口と燃焼室とを連通する通気管を備えて、容器内において固形燃料が収容される領域と外気吸入口から燃焼室へと空気を流通させる領域とを区別することにより、外気吸入口から取り込まれた空気は固形燃料を通過しなくてもよいので、通気性の悪い固形燃料を使用しても、固形燃料を燃焼室で燃焼させるために必要な空気を確保することができる。
【００１１】
請求項２の考案によれば、上記の通気管による空気の流路に加えて、外気吸入口から取り込まれた空気を燃焼室へ流通させる流路が設けられたことにより、固形燃料収納体内部の通気性がさらに向上して、固形燃料を燃焼室で燃焼させるために必要な空気を確保することがさらに容易となる。
【００１２】
請求項３の考案によれば、通気管を通じての外気吸入口から燃焼室への空気の流れが最適化され、固形燃料収納体内部の通気性がさらに向上する。
【００１３】
請求項４の考案によれば、容器に収容された固形燃料が上部開口部側の通気口を通過して燃焼室へ落ちて、燃焼室内が汚れて燃焼の妨げとなることを防ぐことができる。
【図面の簡単な説明】
【００１４】
【図１】本考案の実施例１を示す燃焼器具の縦断面図である。
【図２】同燃焼器具の容器の平面側斜視図である。
【図３】同容器の底面側斜視図である。
【図４】同燃焼器具の使用状態を示す斜視図である。
【考案を実施するための形態】
【００１５】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１６】
図１〜４は本考案の実施例１を示しており、先ずは周知の燃焼器具について説明すると、同図に示すように燃焼器具は、一端に外気吸入口１があり、植物由来の固形燃料２を燃焼させる燃焼室３と、固形燃料２が燃焼した炎４ｂの燃焼後の排気４ａを排出する筒状の排気装置５とを連通した構成となっている。燃焼室３は、第１燃焼室３ａと第２燃焼室３ｂとから構成されている。外気吸入口１は、上下に長い筒体である固形燃料収納体６の上端の開口部であり、外気吸入口１は、降雨や夜露をしのぐために蓋体１０で蓋がされるが、蓋体１０で覆っても密閉しない状態であり、通気性が保たれるようにしている。固形燃料収納体６の内部には、固形燃料２を収容する為の容器７を出し入れ自在に備えている。図では、固形燃料収納体６が垂直方向に長い筒となっているが、垂直方向よりも水平方向が長い筒であっても、傾斜させた筒であっても良い。
【００１７】
固形燃料収納体６の下部には、燃焼室３としての第１燃焼室３ａが形成されている。第１燃焼室３ａの図の左側には、着火口８があり、下部には灰受皿９がある。第１燃焼室３ａの左側には、燃焼室３としての第２燃焼室３ｂがほぼ水平に延設されている。第２燃焼室３ｂには、排気装置５としての煙突が接続されている。立設された排気装置５の煙突効果を高めるため排気装置５は基部を広く、先端を細く形成してある。
【００１８】
また、第２燃焼室３ｂの上はほぼ水平な平面の加熱調理部１１で、ここで焼き物や煮炊きなどの調理ができるようになっている。第２燃焼室３ｂの下部には引出し１２を設け、オーブン状の加熱調理部１３として使用することもできる。
【００１９】
また、図では、外気吸入口１が固形燃料収納体６の上端に位置しているが、側部であっても良い。
【００２０】
さらに、この燃焼器具を持ち運びするために、排気装置５を複数に分割した排気装置５ａ，５ｂとして、継ぎ足しできるようにしている。排気装置５の外側の適当な位置に環状の金網からなる係止部材１６を取付け、この係止部材１６に、先端がフック状になった吊下げ具１４を取付けると、排気装置５の外周を第３の加熱調理部１５として利用することができる。燃焼器具は、脚付ベース１７の上に載置され、脚付ベース１７の一側には、防風壁１８を立設している。
【００２１】
本実施例の特徴として容器７は、固形燃料収納体６の内部で固形燃料２を保持する燃料保持部としての略円盤状の底部１９と、この底部１９の外周端より底部１９の中心軸線２０（以下、容器７の中心軸線２０と呼称する）と平行に立設された中空円筒状の周壁部２１と、この周壁部２１における底部１９の反対側である上部を開放して形成され、固形燃料２の出し入れを行う開口部２２とを備えた有底の中空円筒形状に形成されたものである。容器７の外周面である周壁部２１の外径Ｄ１は、固形燃料収納体６の内径Ｄ２より小径に形成されており、容器７を固体燃料収納体６内部に所定の間隔を有した状態で収納可能に設けられている。
【００２２】
さらに、容器７の内部には、その中心軸線Ｘを容器７の中心軸線２０と一致させて設けられ、開口部２２の中心部分から底部１９の中心部分までを連通する中空円筒形状の通気管２３を備えており、容器７の開口部２２側に設けられた第１の通気口２４と、底部１９側に設けられた第２の通気口２５には、それぞれ固形燃料２等が通気管２３の内部に侵入することを防止する第１の異物侵入防止部材２６及び第２の異物侵入防止部材２７を備えている。
【００２３】
第１の異物侵入防止部材２６は、ステンレス等の金属材料からなる複数の線材を第１の吸気口２４の開口縁に互いに平行に架設され格子状に形成されたものである。
【００２４】
また、第２の異物侵入防止部材２７は、ステンレス等の金属材料からなる複数の線材を底部１９の中心部分で直交して形成された底部１９の補強部材２８の直交部分によって形成されたものである。第１の異物侵入防止部材２６及び第２の異物侵入防止部材２７は、通気性があり、固形燃料２を通過させない形状であれば、どのような形状でもよいものとする。
【００２５】
ここで、容器７の底部１９及び周壁部２１は、ステンレス等の金属材料からなる複数の線材を用いた網状或いは目皿状（周壁部においては格子状）に形成されており、通気性があり、固形燃料２を通過させず、燃え尽きた固形燃料２の灰が通過するような形状であれば、どのような形状でもよい。
【００２６】
また、容器２０は、この容器２０の上端外周の放射方向に突出して設けられた複数の係止突起２９によって固形燃料収納体６の外気吸入口１の周縁に係止可能に設けられており、容器２０は固形燃料収納体６の上部に係止された状態で垂下可能に設けられている。
【００２７】
さらにこの係止突起２９には、ステンレス等の金属材料からなる略Ｕ型の線材からなるハンドル３０が、回動自在に設けられている。このハンドル３０を掴むことにより、固形燃料２が内部に充填され重量が増した容器７を容易に持ち運ぶことが可能となる。
【００２８】
そして、固形燃料収納体６に係止された容器７は、容器７の中心軸線２０と固形燃料収納体６の中心軸線Ｘが一致した状態で固形燃料収納体６に収容されることにより、周壁部２１の外周面と固形燃料収納体６の内周面との間に外気吸入口１と第１燃焼室３ａとを連通する隙間として第１の吸気流路３１が形成され、通気管２３を介して外気吸入口１と第１燃焼室３ａとを連通する第２の吸気流路３２とともに、外気吸入口１より取り込まれた外部の空気を燃焼室３ａへ送り込む空気の経路が確保される構造となっている。
【００２９】
上記構成の燃焼器具の使い方を説明する。固形燃料収納体６の上端に取付けられた蓋体１０を取り外した状態で外気吸入口１から、容器７を取り出し、開口部２２から容器７内部の通気管２３の周囲に固形燃料２を入れた後、その固形燃料２が充填された容器７を固形燃料収納体２に係止して固形燃料収納体６の内部に収納することで、固形燃料収納体６内への固形燃料２の収容が完了する。
【００３０】
続いて、固形燃料収納体６の下部の着火口８の扉を開き第１燃焼室３ａから燃料保持部材７のすぐ上にある固形燃料２に着火する。降雨時には、外気吸入口１を蓋体１０で覆う。燃料保持部材７の下端に着火すると、着火当初は、気化した気体の熱により上昇気流が発生するが、燃焼が進むにしたがい排気装置５の煙突効果が上昇気流の上昇力を上回り、固形燃料２から発生した可燃性ガスである気体が固形燃料収納体６内から第１燃焼室３ａへと排出され、第２燃焼室３ｂを経て排気装置５から外部に排出される。これにより、外気吸入口１から外気が取り込まれ、取り込まれた外気は固形燃料２を通過して下端で燃焼中の固形燃料２に達し、この燃焼を促進して、排気装置５から排気される。
【００３１】
固形燃料２内では、空気の流れが上から下に向かうので、固形燃料２の炎は、第１燃焼室３ａ内へと下向きになる。外気吸入口１から新鮮な空気が取り込まれ、固形燃料２間の間隙を通過して固形燃料収納体６の下端の固形燃料２の燃焼が進行する。外気吸入口１から十分な空気が供給されることで、固形燃料２は完全燃焼して黒煙が発生することがなくなる。
【００３２】
固形燃料２からは、加熱により可燃性のガスが発生する。発生したガスは、第１燃焼室３ａで一部が燃焼し、残りは第２燃焼室３ｂで燃焼をする。こうして燃焼が継続されると、固形燃料収納体６内に充填された固形燃料２が下方から順次燃焼し、燃焼が完了すると灰となって燃料保持部材７から落下し、灰受皿９に収容される。下の固形燃料２が無くなると、上の固形燃料２が降下して燃焼を継続する。
【００３３】
上記構成の燃焼器具は、固形燃料２が下から燃焼していくので、燃料が一気に燃えることがなく、一定の火力で、徐々に燃えていくことになる。したがって、一定の火力を維持した状態が長くつづき、燃料を効果的に使用することができる。また、構造が簡単なので、小型にすることもでき、電気を必要としないので、屋外でも、天災時の非常用としても使用できる。
【００３４】
蓋体１０を取り除いても、固形燃料収納体６の上部は熱くなっていないので、覗いて固形燃料２の残量を確認することができる。固形燃料２の残存量が少なくなって更に燃焼を続けたいときは、外気吸入口１から任意の量の固形燃料２を補給すればよく、必要に応じ何時間でも燃焼させ続けることができる。
【００３５】
着火当初は排気装置５から黒煙交じりの排気４ａが放出されるが、燃焼が進むと、排気装置５の煙突効果が向上し排気スピードも上がり、これに伴って外気吸入口１からの吸気量が増えるとともに、固形燃料収納体６内の固形燃料２から発生した可燃性ガスが、燃えながら速やかに第１燃焼室３ａに排出されて第２燃焼室３ｂを経て完全燃焼し、排気装置５から排気４ａとなって放出される。その結果、着火から１〜２分程度で排気装置５の先端から黒煙交じりの排気を目視できなくなる。白抜き矢印４ｂは、炎の流れであり、勢いよく燃焼し続ける炎４ｂが排気装置５の下部まで達した。黒い矢印４ａは、炎４ｂから排気に変わって排出される流れである。
【００３６】
このように燃焼しているときの第２燃焼室３ｂの外表面は高温になり、第２燃焼室３ｂ上が平面であれば、第２燃焼室３ｂ上に金網や調理器具を載せて焼物や煮炊きが可能で、ここが第１の加熱調理部１１となる。第２燃焼室３ｂ下に引出し１２や調理器具載置部材を取付ければ、ここでも焼物や煮炊きが十分可能であり、第２燃焼室３ｂ下を第２の加熱調理部１３として利用できる。上記排気装置５の外周も高温であり、排気装置５の所定の位置に係止部材１６を取付けることで、外周を第３の加熱調理部１５として利用できる。この係止部材１６に着脱自在に取付けた吊下げ具１４の下端のフックに魚・肉・野菜などの焼物などを吊下げると、焼物が焼ける。
【００３７】
上記構成の燃焼器具の特徴としては、外気吸入口１から固形燃料収納体６の内部に取り込まれた外部の空気を、周壁部２１の外周と固形燃料収納体６の内壁との間に形成された隙間からなる第１の吸気流路３１と、通気管２３からなる第２の吸気流路３２のそれぞれに流通させることにより、外気吸入口１から取り込まれた外部の空気を、容器７内部に充填された固形燃料２の隙間を通過させなくても、第１の吸気流路３１においては固形燃料収納体６の内部で外部の空気を固形燃料２の外側から流通させて、また第２の吸気流路３２においては固形燃料収納体６の内部で外部の空気を通気管２３を介して固形燃料２の内側から流通させるので、このように外部の空気を固形燃料収納体６の内部で固形燃料２の外側と内側の両側から流通させることで、外気吸入口１より取り込まれた空気を燃焼室３ａへ送り込むための経路が確保され、それによって固形燃料２を第１・第２燃焼室３ａ、３ｂで燃焼させるために必要な外気を常時十分に確保できるので、完全燃焼が確実に進行するとともに、通気性の悪い、つまり隙間無く充填された固形燃料２でも問題なく使用することができる。
【００３８】
以上のように、前記実施例では請求項１に対応して、植物由来の固形燃料２を収容する中空筒状の固形燃料収納体６と、当該固形燃料収納体６の一側に設けられた外気吸入口１と、固形燃料収納体６の他側と連通した燃焼室３ａ、３ｂと、当該燃焼室３ａ、３ｂと連通した排気装置５とを有する燃焼器具において、固形燃料２を収容し、固形燃料収納体６内に出し入れ自在に収容可能な通気性を有する有底筒状の容器７を備え、容器７に、容器７の上部開口部２２から底部１９まで連通して設けられ、外気吸入口１と燃焼室３ａ、３ｂとを連通する中空筒状の通気管２３を備えている。
【００３９】
この場合、容器７に外気吸入口１と燃焼室３ａ、３ｂとを連通する通気管２３を備えて、容器７内において固形燃料２が収容される領域と外気吸入口１から燃焼室３ａ、３ｂへと空気を流通する領域とを区別することにより、外気吸入口１から取り込まれた空気は固形燃料２を通過しなくてもよいので、通気性の悪い固形燃料２を使用しても、固形燃料２を燃焼室３ａ、３ｂで燃焼させるために必要な空気を確保することができる。
【００４０】
また、前記実施例では請求項２に対応して、容器７の外周面と固形燃料収納体６の内周面との間に外気吸入口１と燃焼室３ａ、３ｂとを連通する隙間として第１の吸気流路３１を形成している。
【００４１】
この場合、通気管２３による空気の流路に加えて、外気吸入口１から取り込まれた空気を燃焼室３ａ、３ｂへ流通させる第１の吸気流路３１が設けられたことにより、固形燃料収納体６内部の通気性がさらに向上して、固形燃料２を燃焼室３ａ、３ｂで燃焼させるために必要な空気を確保することがさらに容易となる。
【００４２】
さらに、前記実施例では請求項３に対応して、通気管２３の中心軸線Ｘを、固形燃料収納体６の中心軸線Ｙと一致して設けている。
【００４３】
この場合、通気管２３を通過する空気が、外気吸入口１から燃焼室３ａ、３ｂへと最短距離で案内されるので、通気管２３を通じての外気吸入口１から燃焼室３ａ、３ｂへの空気の流れが最適化され、固形燃料収納体６内部の通気性がさらに向上する。
【００４４】
また、前記実施例では請求項４に対応して、前記通気管２３の上部開口部２２側の通気口である第１の通気口２４に、第１の異物侵入防止部材２６を備えている。
【００４５】
この場合、容器７に収容された固形燃料２が第１の通気口２４を通過して燃焼室３ａ、３ｂへ落ちて、燃焼室３ａ、３ｂ内が汚れて燃焼の妨げとなることを防ぐことができる。
【００４６】
なお、本願で言う固形燃料収納体の形状は、燃焼時間を長くするために水平方向の長さ（又は直径）よりも垂直方向の長さの方が大きいことが望ましい。また、植物由来の固形燃料とは、植物の木、枝、葉、根、樹皮などを乾燥させて微粉砕し、この微粉砕した木、枝、葉、根、樹皮など小型の粒として圧縮加工したペレットのみならず、炭や古代には植物であった石炭を微粉砕して再度小型の粒として圧縮加工したペレットをも含むものである。
【００４７】
また、本考案は上記実施例に限定されるものではなく、種々の変形実施が可能である。例えば、本考案の固形燃料は、植物由来の固形燃料に限定される物ではなく、固形燃料収納体に収納できる大きさであれば、薪・炭・石炭・練炭、更には、破砕した木やチップなどであっても良い。
【００４８】
さらに、多孔性或は多間隙性部材からなる容器をつくる一番簡単な材料は、金網であるが、固形燃料が漏れない幅の間隙を有する格子状としたり、パンチングメタルなどでつくることもでき、材料を限定するものではない。
【００４９】
また、横設した第２燃焼室３ｂを短い通気孔２９とすることにより、筒体からなる排気装置５aの下部を第２燃焼室３ｂとして使用することで単に暖房器具としてのみ使用することも可能である。
【００５０】
さらに、排気装置を筒体の代わりに電動モータで駆動されるファンとすることで、排気装置５で強制排気をする構成としてもよい。
【００５１】
また、本考案の燃焼器具は、構造が簡単で軽量かつ低コストにつくれるから、地方公共団体等が小額の予算で燃料と共に事前に用意できる災害時の緊急避難生活用時の暖房兼調理器具として活用できるのみならず、キャンプを初めとする野外活動時に携帯して使用できる調理器具として利用できる。また、農園や果樹園を始とした霜害防止用燃焼器具としても利用できる。さらに、本体を室内に設置して排気装置を屋外に誘導すれば、屋内用調理器具兼暖房用としても使用可能である。
【符号の説明】
【００５２】
１  外気吸入口
２  固形燃料
３ａ、３ｂ  燃焼室
５  排気装置
６  固形燃料収納体
７  容器
１９  底部
２２  上部開口部
２３  通気管
２４  第１の通気口
２６  異物侵入防止部材
３１  第１の吸気流路（隙間）
Ｘ  中心軸線（通気管）
Ｙ  中心軸線（固形燃料収納体）
【図１】
0003151003.tif 000003
【図２】
0003151003.tif 000004
【図３】
0003151003.tif 000005
【図４】
0003151003.tif 000006